(57)【要約】【課題】筆記者が、紙面に対して軸筒２の軸心の角度を変えたり、軸心に対する軸筒２の捻り角度を変化させるような動きに対して、それをアシストすることができる構造の万年筆１を得る。【解決手段】ペン芯３にペン体４を隣接してなる筆記先端部５を軸筒２の前方に有した万年筆１であって、軸筒２内に横断面が円環状の隙間部８が設けられ、隙間部８に複数の球体１０が収容され、筆記時において軸筒２が筆記面に対して傾斜した状態にあるとき、複数の球体１０の多くが隙間部８における筆記面側に集積され、且つ軸径方向におけるその反対側には空間１１が生じ、軸筒２の軸心の角度変化あるいは該軸筒２の軸心に対する捻り角度の変化により、当該軸筒２の振動および球体の自重で、隙間部８内で集積された複数の球体１０における後方側に位置した当該球体１０から当該隙間部８内の移動を開始することを特徴とした万年筆１。【選択図】図２
2019130794.tif 000002
【特許請求の範囲】
【請求項１】
ペン芯にペン体を隣接してなる筆記先端部を軸筒の前方に有した万年筆であって、
前記軸筒内に横断面が円環状の隙間部が設けられ、
前記隙間部に複数の球体が収容され、
筆記時において前記軸筒が筆記面に対して傾斜した状態にあるとき、前記複数の球体の多くが前記隙間部における該筆記面側に集積され、且つ軸径方向におけるその反対側には空間が生じ、
前記軸筒の軸心の角度変化あるいは該軸筒の軸心に対する捻り角度の変化により、該軸筒の振動および球体の自重で、前記隙間部内で集積された複数の球体における後方側に位置した当該球体から当該隙間部内の移動を開始することを特徴とした万年筆。
【発明の詳細な説明】
【技術分野】
【０００１】
本発明は万年筆に関する。
【背景技術】
【０００２】
万年筆は、筆圧によりペン体がその表面側に撓みながら切り溝が少し広がることでインキをペン先へ流出させて筆記を行うことから、筆記時にはペン体のペン先の裏面側を紙面に摺接させる必要があり、結果、軸筒を把持する方向が規制される。また、筆記時においては、手首や指が動きながら、軸筒の紙面に対する軸心の角度や、軸心に対する軸筒の捻り角度が変化する。この場合にも、前述の通り、筆記を継続させるためにはペン先の裏面側を紙面に摺接させ続ける必要がある。このとき使用者は、意識せずに前述の手首や指を動かすことから、それをアシストする構造があれば筆記がし易くなると考えられる。
【０００３】
本件出願人は、特許文献１（特開２００４−３３８２３５号公報）にて筆記をし易くする筆記具を開示している。この特許文献１では、筆記具の全長に対する重心の位置や重量割合などを特定することで、筆記具の微小な往復回転運動をし易くする構造が記載されてある。
しかしながらこの構造は、前述の通りペン体の方向性が規定される万年筆において、紙面に摺接させた筆記状態で紙面に対する軸筒の軸心の角度を変えたり、軸心に対する軸筒の捻り角度を変化させるような動きについては考えられていなかった。
【先行技術文献】
【特許文献】
【０００４】
【特許文献１】特開２００４−３３８２３５号公報
【発明の概要】
【発明が解決しようとする課題】
【０００５】
本発明では、筆記者が、紙面に対して軸筒の軸心の角度を変えたり、軸心に対する軸筒の捻り角度を変化させるような動きに対して、それをアシストすることができる構造の万年筆を得ることを目的とする。
【課題を解決するための手段】
【０００６】
本発明は、
「ペン芯にペン体を隣接してなる筆記先端部を軸筒の前方に有した万年筆であって、
前記軸筒内に横断面が円環状の隙間部が設けられ、
前記隙間部に複数の球体が収容され、
筆記時において前記軸筒が筆記面に対して傾斜した状態にあるとき、前記複数の球体が前記隙間部における該筆記面側に集積され、且つ軸径方向におけるその反対側には空間が生じ、
前記軸筒の軸心の角度変化あるいは該軸筒の軸心に対する捻り角度の変化により、当該軸筒の振動および前記球体の自重で、前記隙間部内で集積された複数の球体における後方側に位置した当該球体から当該隙間部内の移動を開始することを特徴とした万年筆。」である。
【０００７】
本発明の万年筆によれば、筆記時において、隙間部内に収容した複数の球体が軸筒の軸心の角度変化あるいは軸筒の軸心に対する捻り角度の変化により移動することで、万年筆の周上における重心が変化して、万年筆自体が筆記者の動きに追従することとなり、結果的に、筆記者が力のアシストを受けている感覚を得ることができる。
さらに、隙間部を円環状とすることで、筆記時において軸筒が筆記面に対して傾斜した状態にあるときには、複数の球体が円環状の隙間部における筆記面側に集積されることとなり、その筆記面側に集積された複数の球体は、前記隙間部内において、筆記面側から見て軸筒における前方から後方に向かって漸次減少するように配置されることから、後方側に位置する球体は数が少なくなり動き易くなると共に、筆記時には後方側に位置する球体の方が前方にある球体に比較して高さが高くなることから、その分、後方にある球体の位置エネルギーの方が高くなって動き易くなる。これにより、隙間部内に収容した複数の球体が軸筒の軸心の角度変化あるいは軸筒の軸心に対する捻り角度の変化により移動する場合には、まずは後方側に位置する球体の移動が行われ、次に中間に位置する球体、その次に前方に位置する球体と、徐々に移動が行われる構造となる。
この結果、円環状の隙間部内で移動する距離が大きい後方側の球体の方から移動することでの重心変化が勢いづき、その重心変化は筆記者が筆記時に万年筆を動かす方向と一致することから、筆記者は筆記をアシストされている感覚を得やすくなる。
後方側の球体の移動距離が大きい理由は、後方側の球体が移動する際には、空間が広い筆記面と反対側へと周方向に大きく球体が移動しながら、後方から前方に向かって大きく移動するためである。
【０００８】
球体の材質は、金属やガラスなど比重が高いものの方が重心変化が生じ易く適しており、特に銅や鉄などが加工や入手がし易く好適である。
球体の大きさは、０．６ｍｍ〜１．４ｍｍ程度の外径寸法のものが良い。０．５ｍｍ以下では、静電気が発生した場合に隙間部に対して球体を収容させ難く、また一つ一つの質量が軽くなることで静電気力による影響を受け易く、それにより重力による移動がし難くなり、結果、重心変化が安定し難くなる。１．５ｍｍ以上では、球体を隙間部に対して収容させ易く、また重心変化を生じさせ易くはなるが、その分、軸径方向に巾広い隙間部を設けることから軸筒の外径を大きくする必要性が生じたり、球体が移動する際の衝接音が気になる場合がある。
また球体の数は、円環状の隙間部に対し、筆記時において前記軸筒が筆記面に対して傾斜した状態にあるとき、複数の球体の多くが隙間部における筆記面側に集積され、且つその反対側には空間が生じる程度に収容する。球体が多すぎた場合には、複数の球体の一部が移動を開始した場合でも、全体比率で移動する球体が少なくなることから、重心変化が生じ難くなり、さらに球体同士が折り重なり易く動きが鈍くなる。球体の数が少なすぎた場合には、球体の移動はし易くなるが、重心変化が生じ難くなる。球体の数は限定されるものではなく、球体の材質（比重）や大きさ、隙間部の大きさ、あるいは軸筒の質量などを鑑みて設定すればよい。好ましくは、万年筆の筆記角度を筆記面に対して４０度〜６０度で傾けた状態において、隙間部の筆記面側に複数の球体が集積され、且つその反対側（軸径方向における反対側）には空間が生じる程度の数の球体を収容させるとよい。
【０００９】
円環状の隙間部は、軸筒の内面とインキタンクの外面との間に形成したり、あるいは軸筒を外軸と内軸とで構成しその間に隙間部を形成することもできる。インキを収容するインキタンクに交換式のカートリッジを用いる場合には、カートリッジの交換時に、複数の球体が脱落してしまわぬよう、軸筒を外軸と内軸とで構成し、その間に隙間部を設け、該隙間部の中に複数の球体を収容させた状態で外軸と内軸との前後を閉塞できる構造が好ましい。
【００１０】
軸筒の材質は特に限定されるのもではなく、ポリカーボネイトやポリプロピレンあるいはＡＢＳなどの樹脂が成形し易く、また透明材を用いて隙間部内の球体の移動を観察できるようにすることで、筆記時における重心移動によるアシストを筆記者が視覚的にも認識することが可能となる。
さらには、隙間部を軸筒の前端近傍に設けることで、万年筆の重心変化が感じられ易くなる。これは、筆記者が動かしたいと思っているペン先により近い部分の動きをアシストできるためである。
【発明の効果】
【００１１】
本発明の万年筆によれば、筆記時に、紙面に対して軸筒の軸心の角度を変えたり、軸心に対する軸筒の捻り角度を変化させるような動きをさせる場合にも、万年筆の重心位置が筆記者の手の動きに追従して変化することから、筆記者が筆記をアシストされていると感じることが可能となる。
【図面の簡単な説明】
【００１２】
【図１】本実施形態の万年筆の縦断面図である。
【図２】本実施形態の万年筆の要部縦断面図である。
【図３】本実施形態の万年筆の横断面図であり、図３Ａは図２のＡ−Ａ線端面図を示し、図３Ｂは図２のＢ−Ｂ線端面図を示し、図３Ｃは図２のＣ−Ｃ線端面図を示し、図３Ｄは図２のＤ−Ｄ線端面図を示す。
【発明を実施するための形態】
【００１３】
以下に、図面を参照して本実施形態における万年筆を詳細に説明する。
【００１４】
図１は、本実施形態の万年筆の縦断面図である。図２は、本実施形態の万年筆の要部縦断面図である。
図３は、本実施形態の万年筆の横断面図であり、図３Ａは図２のＡ−Ａ線端面図を示し、図３Ｂは図２のＢ−Ｂ線端面図を示し、図３Ｃは図２のＣ−Ｃ線端面図を示し、図３Ｄは図２のＤ−Ｄ線端面図を示す。
尚、図１及び図３に示す万年筆はペン先の裏面側を筆記面（紙面）に摺接させて筆記している筆記状態を示しており、筆記面に対して軸心を６０度傾斜させている状態である。また、図３においてはペン芯と先軸を省略して記載してある。
【００１５】
本実施形態の万年筆１は、図１に示すように、軸筒２の前方に、ペン芯３にペン体４を隣接してなる筆記先端部５を先軸６を介して挿着してある。軸筒２の前方内面には雌螺子部２ａを形成してあり、先軸６の外面に形成した雄螺子部６ａに着脱可能に螺合してある。
ペン芯３の後部には、内部にインキ（不図示）を収容したインキカートリッジ７を着脱可能に嵌着させており、インキ（不図示）を使い切った際には、軸筒２から先軸６を螺脱させ、インキカートリッジ７を外し、インキが充填された新しいインキカートリッジと交換することができる。
【００１６】
前記軸筒２は、円筒形状の外軸部２ｂと内軸部２ｃとを有し、外軸部２ｂと内軸部２ｃとの間に横断面が円環状の隙間部８を設けてある。内軸部２ｃの前端には、該内軸部の前端より軸径方向の外方へ向かって垂設させた垂直壁２ｄを設けてあり、外軸部２ｂの内面と一体に連接してある。外軸部２ｂの内径は１１．７ｍｍとし内軸部２ｃの外径は９．２ｍｍとしてある。
また内軸部２ｃの後端には尾栓９を嵌着させており、尾栓９に形成した鍔部９ａを、外軸部２ｂの後端面及び内軸部２ｃの後端面に当接させてある。したがって、外軸部２ｂと内軸部２ｃとの間に設けられた円環状の隙間部８は、垂直壁２ｄで前方が閉塞され、尾栓９で後方が閉塞される。
【００１７】
前記隙間部８は、外軸部２ｂと内軸部２ｃとの間を全体的に１．２５ｍｍの間隔で離間させており、該隙間部８の内方には外径寸法が１ｍｍである真鍮製の球体１０を２００個収容してある。球体１０は隙間部８内で前後方向及び周方向に移動可能であり、軸径方向には１個配列され、円環状の隙間部８の内面に沿った周方向には複数配列され、隙間部８を筆記面側（図１及び図２における下側）から見て、軸筒２における前方から後方に向かって球体１０の数が漸次減少するよう配置され、軸筒２の軸径方向における筆記面側の反対側には空間１１が形成される（図３参照）。
これは前述した通り、万年筆１を６０度傾斜させていることから、球体１０が重力で隙間部８の下方に引っ張られることによるものである。
【００１８】
万年筆１で筆記を行う場合、軸筒２の軸心の角度変化あるいは該軸筒２の軸心に対する捻り角度が変化するが、このとき軸筒２の振動および球体の自重で該球体１０が移動する場合には、万年筆１の重心変化が生じ筆記者がそれを感じ取ることができる。
基本的に球体１０は、重力で隙間部８の下方に引っ張られるが、筆記による軸筒２の角度変位により、軸方向及び周方向に移動する。このとき、隙間部８内で集積された複数の球体１０は、後方側に位置した当該球体１０、つまり図３Ｄに示す球体１０から先に隙間部８内における移動が開始され、次いで図３Ｃに示す球体１０の移動が開始される。
その理由は、後方側に位置する球体１０は数が少ないことから動き易く、また後方側に位置する球体１０の方が前方にある球体１０に比較して高さが高くなり、その分、後方にある球体１０の位置エネルギーの方が大きくなって重力の影響を受けて動き易いことにある。その反対に、前方側に位置する球体１０（図３Ａ、図３Ｂの球体１０）は、球体１０同士が寄り集まることで移動が行い難くなり、前記後方に位置して動き易い球体１０のあとに移動が開始される。
この結果、図３Ｃや図３Ｄに示す球体１０が移動する際には、筆記面とは反対側となる空間１１が広い方へと周方向に移動しながら、後方から前方に向かって大きく移動され、後方側の球体１０の方から移動することで重心変化が勢いづき、その重心変化は筆記者が筆記時に万年筆１を動かす方向と一致することから、筆記者は筆記をアシストされている感覚を得ることとなる。
【００１９】
本実施形態の万年筆１は、２００個の球体１０を収容した隙間部８の前後を閉塞してあることから、インキカートリッジ７を交換する際にも、隙間部８から球体１０が脱落してしまうことなく交換することができる。
また、本実施形態では、軸筒２を透明なポリカーボネイトで成形したことから、筆記時に隙間部８内の球体１０の移動を観察することができ、筆記者が視覚的にもアシストされている状態を認識することができる。さらに、隙間部８を軸筒２の前端近傍に設けたことから、筆記者が動かしたいと思っているペン先により近い部分の動きをアシストすることができる。
【符号の説明】
【００２０】
１…万年筆、
２…軸筒、２ａ…雌螺子部、２ｂ…外軸部、２ｃ…内軸部、２ｄ…垂直壁、
３…ペン芯、
４…ペン体、
５…筆記先端部、
６…先軸、６ａ…雄螺子部、
７…インキカートリッジ、
８…隙間部、
９…尾栓、９ａ…鍔部、
１０…球体、
１１…空間。
【図１】
2019130794.tif 000003
【図２】
2019130794.tif 000004
【図３】
2019130794.tif 000005